(57)【要約】パウチを設けることなく、タオル体の取り外しを可能にして、洗濯性を良好にし、且つ、使用範囲の自由度を高めるタオルに関し、携帯型端末機、かばん、財布、キーホルダ、ダイアリ、又はハンドバッグに結合されるタオルであって、タオル体と、前記タオル体の一面に設けられ、前記タオル体を収容するポケット部と、前記ポケット部に結合した連結部材と、前記連結部材に装着される結合部材とを含む構成を設ける。上記のようなタオルを用いることにより、技術とは異なり、パウチを設けていないので、その分だけサイズを小さくすることができるだけでなく、製造コストを低減することができるという効果がある。【選択図】図３ａ
2015513304.tif 000002
【特許請求の範囲】
【請求項１】
携帯型端末機、かばん、財布、キーホルダ、ダイアリ、又はハンドバッグに結合されるタオルであって、
タオル体と、
前記タオル体の一面に設けられ、前記タオル体を収容するポケット部と、
前記ポケット部に結合される連結部材と、
前記連結部材に装着される結合部材とを含むことを特徴とするタオル。
【請求項２】
前記ポケット部は、前記タオル体の一部に三角状に設けられることを特徴とする請求項１に記載のタオル。
【請求項３】
前記ポケット部は、前記タオル体と同一材質で形成されることを特徴とする請求項２に記載のタオル。
【請求項４】
前記ポケット部は、前記タオル体とは異なる材質の弾性保持纎維で形成されることを特徴とする請求項２に記載のタオル。
【請求項５】
前記ポケット部には、弾性を有するバンド部が設けられることを特徴とする請求項３に記載のタオル。
【請求項６】
前記ポケット部は、網状に設けられることを特徴とする請求項３に記載のタオル。
【請求項７】
前記連結バンドと結合されるポケット部の角部は、５０〜７０°であることを特徴とする請求項３に記載のタオル。
【請求項８】
前記ポケット部には、滑り止め部材が設けられることを特徴とする請求項１乃至７のいずれか１項に記載のタオル。
【請求項９】
前記結合部材は、ストラップ又はストリングを備えることを特徴とする請求項８に記載のタオル。
【請求項１０】
携帯型端末機、かばん、財布、キーホルダ、ダイアリ、又はハンドバッグに結合されるタオルであって、
タオル体と、
前記タオル体の一面に設けられ、前記タオル体を縛るガセット部と、
前記ガセット部に対応して、前記タオル体の他面に形成された連結部材と、
前記連結部材に装着される結合部材とを含むことを特徴とするタオル。
【請求項１１】
前記ガセット部には、前記結合部材が貫通する挿入口が設けられることを特徴とする請求項１０に記載のタオル。
【請求項１２】
前記タオル体は、多角状からなり、前記ガセット部は、前記多角状の一辺又は角部に設けられることを特徴とする請求項１０に記載のタオル。
【請求項１３】
前記ガセット部は、前記挿入口を除く部分を返し縫いすることにより、前記タオル体に固定されることを特徴とする請求項１０に記載のタオル。
【請求項１４】
前記タオル体の一面には、前記タオル体を縛るための案内線が設けられることを特徴とする請求項１０に記載のタオル。
【請求項１５】
前記ガセット部の両面には、接合手段として、ファスナー又はスナップボタンが設けられることを特徴とする請求項１０に記載のタオル。
【請求項１６】
前記結合部材は、ストラップ又はストリングを備えることを特徴とする請求項１０に記載のタオル。
【発明の詳細な説明】
【技術分野】
【０００１】
本発明は、装飾性、携帯性、保管性を良好にして、使い勝手を向上したタオルに関し、より詳しくは、パウチを設けることなく、タオル体の取り外しを可能にして、洗濯性を容易にし、且つ、使用範囲の自由度を高めるタオルに関する。
【０００２】
特に、本発明は、クリーナーの機能を有したタオル体であって、携帯型端末機の表示画面、めがね、光学機器などのガラス表面を洗浄し、携帯型端末機、かばん、財布、キーホルダ、ダイアリ、ハンドバッグなどに装飾用として使用可能なタオルに関する。
【０００３】
また、本願発明で用いる携帯型端末機とは、制限されたメモリとディスプレイを有し、手で持ちながら使用可能な端末機を称し、様々な携帯電話と音声中心の端末機にコンピュータ機能を追加したスマートフォン、ＰＤＡ(Personal Digital Assistant)レベルの各種のＰＤＡと、これに無線機能を結合した無線ＰＤＡ(Wireless PDA)などであり、例えば、市販のアップル社の‘アイパッド'、三星電子の‘ギャラクシータップ'などを含む。
【背景技術】
【０００４】
一般に、タオル(Towel)とは、顔や身についた水気や汗、又は各種の異物を拭くことに使う綿糸で編まれた綿布製品であって、頭巾とも言う。このようなタオルは、その内部又は表面に、アンカットパイル(uncut pile)があるので、吸水性と通風性がよく、その用途により、風呂に入る時に使用する規格の大きいお風呂タオル、普通サイズの洗面タオル、懐に入れて置くタオルハンカチ、運動又は作業途中に汗をかく用途のタオル、めがねなどを洗浄するクリーナータオルなどがある。タオル用として編む反物をタオル布地というが、湿気をよく吸収するため、夏布団として使われる一重布団やパジャマを作ることにも使われる。
【０００５】
また、近年は、携帯型端末機の表示画面が大型化し、且つ、タッチスクリーンを適用しており、通話に際して、ユーザが携帯端末機のスピーカとマイク部分を耳と口に接するか、近接配置して相手方と通話するので、携帯型端末機の表示画面、外観などに化粧品や顔の油分、そして、塵埃などが取り付けられて画面が汚くなり、液晶画面が均一に見えなくなる。
【０００６】
それで、ユーザは、携帯端末機の外観が塵埃などの異物により汚染することにつれ、随時に携帯端末機の外観などをクリーニングする。これは、携帯端末機の表示画面に異物があれば、見にくく、スピーカやマイクに異物がついていると、衛生上良くないからである。そのため、携帯端末機の外観を手で擦ってクリーニングするか、別のティッシュなどを用いて、外観を拭いたりする。
【０００７】
しかし、ユーザは、携帯端末機の外観を掃除するために、別のタオル(ハンカチ)、ティッシュなどを携帯しないことがあり、携帯端末機の外観は、常時外部環境に露出しており、また、いつも塵埃などの異物が存在する状況であるため、衛生上、良くないという問題点が生じた。
【０００８】
それで、上記のような問題を解決するための技術の一例が、下記の特許文献１に示されている。
【０００９】
下記の特許文献１には、図１に示しているように、携帯電話に、装身具兼用掃除用具を取り付けた斜視図が示されている。すなわち、携帯型端末機５に伸縮ストラップ７を備え、伸縮ストラップ７の端には、ストラップリング８を連結し、また、ストラップリング８には、装身具兼用掃除用具６を結合し、前記装身具兼用掃除用具６内には、綿などの緩衝制と極細糸布が設けられる。
【００１０】
また、本出願の出願人が出願した下記の特許文献２及び３には、タオルが開示されている。
【００１１】
例えば、図２は、下記の特許文献２に開示されたタオルを示す部分切開斜視図である。
【００１２】
図２に示しているように、タオル１は、内部に収容空間を提供する袋を有するパウチ１０と、前記パウチ１０の内部に収容され、選択的に外部に取り出して使用するタオル体２０とを含む。
【００１３】
図２では、パウチ１０とタオル体２０とを相互選択的に分離可能に構成することに当たり、締結手段として連結されることを示している。すなわち、パウチ１０は、タオル体２０を外部に取り出すか、又は、その内部の収容空間を折り畳む入口と反対位置に、内外部に両端が突出するバックルバンド１７が返し縫いによって一体に設けられる。このバックルバンド１７は、所定の幅を有する布地が用いられ、前記パウチ１０の外部に露出する一端がリン状を有するように、リング部１８が形成される。このようなリング部１８には、図に示しているように、連結リングｃが連結される。
【００１４】
また、タオル体２０には、一側の角に所定の長さを有する連結バンド２５が一体に連結される。このように構成されるパウチ１０のバックルバンド１７と、タオル体２０の連結バンド２５とには、相互弾力的な結合及び解除のための締結手段が設けられ、締結手段は、一対の弾性片を設ける挿入体２９と、前記挿入体２９の弾性片が弾力的に嵌合する組立溝を形成した収容体１９とからなるバックルで構成される。
【００１５】
また、遮蔽面１１と、カバー部１５とにはそれぞれ、ベルクロからなる取付パーツ１５ｂ、１５аが設けられることにより、前記カバー部１５を前記遮蔽面１１側に折り畳む状態で取り付けることで、入口を遮蔽することができる。
【先行技術文献】
【特許文献】
【００１６】
【特許文献１】大韓民国実用新案登録公報第0326363号(2003.09.01.登録)
【特許文献２】大韓民国登録特許公報第10-0916367号(2009.09.07.公告)
【特許文献３】大韓民国登録特許公報第10-0775289号(2007.11.08.公告)
【発明の概要】
【発明が解決しようとする課題】
【００１７】
ところが、図１に示しているように、従来の装身具兼用掃除用具６内に設けられた綿及び極細糸布は、最近の大型化した携帯型端末機の表示画面を洗浄するには十分でないという問題点があった。また、このような掃除用具は、ストラップの長さによって、洗浄範囲が限られるので、伸縮性のあるストラップを使用しなければならないという問題点もある。
【００１８】
また、図１における掃除用具は、単に、携帯型端末機の表示画面を洗浄するだけであり、綿と極細糸布で形成され、ほとんど使い捨てであるため、リサイクルすることができず、環境汚染を起こすという問題もあった。
【００１９】
また、図２に示しているタオル１は、パウチ１０にタオル体２０が内蔵されているので、全体のサイズが大きくなり、また、携帯型端末機などに装飾用として使用し難いという問題があった。また、タオル体２０をパウチ１０から分離使用した後、 再結合するためには、パウチ１０の内側部分を外にして、収容体１９が外部に露出した状態で結合しなければならないという不都合があった。特に、パウチを設けるので、その製造コストが増加するという問題があった。
【００２０】
本発明の目的は、上述したような問題点を解決するためになされたものであって、従来の技術とは異なり、パウチを設けることなく、タオル自体に収容空間を形成することにより、マイクロファイバのような機能性原緞となるタオル体を容易に結合/分離することができるタオルを提供することにある。
【００２１】
本発明の他の目的は、タオル体の全体を使用することができ、且つ、携帯型端末機に装飾用として使用可能なタオルを提供することにある。
【００２２】
また、本発明の目的は、携帯型端末機の支持台として用いることにより、携帯型端末機を所定の角度で立てて使用することができるタオルを提供することにある。
【００２３】
更に、本発明の目的は、携帯型端末機の表示画面、めがねなどの洗浄のためのクリーナーとして使用するだけでなく、通常のハンカチとしても使用可能なタオルを提供することにある。
【課題を解決するための手段】
【００２４】
前記目的を達成するために、本発明によるタオルは、携帯型端末機、かばん、財布、キーホルダ、ダイアリ、又はハンドバッグに結合されるタオルであって、タオル体と、前記タオル体の一面に設けられ、前記タオル体を収容するポケット部と、前記ポケット部に結合される連結部材と、前記連結部材に装着される結合部材とを含むことを特徴とする。
【００２５】
前記ポケット部は、前記タオル体の一部に三角状に設けられる。
【００２６】
前記ポケット部は、前記タオル体と同一材質で形成される。
【００２７】
前記ポケット部は、前記タオル体とは異なる材質である弾性保持纎維で形成される。
【００２８】
前記ポケット部には、弾性を有するバンド部が設けられる。
【００２９】
前記ポケット部は、網状に設けられる。
【００３０】
前記連結バンドと結合されるポケット部の角部は、５０〜７０°である。
【００３１】
前記ポケット部には、滑り止め部材が設けられる。
【００３２】
前記結合部材は、ストラップ又はストリングを備える。
【００３３】
また、前記目的を達成するために、本発明によるタオルは、携帯型端末機、かばん、財布、キーホルダ、ダイアリ、又はハンドバッグに結合されるタオルであって、タオル体と、 前記タオル体の一面に設けられ、前記タオル体を縛るガセット部と、前記ガセット部に対応して、前記タオル体の他面に形成された連結部材と、前記連結部材に装着される結合部材とを含むことを特徴とする。
【００３４】
前記ガセット部には、前記結合部材が貫通する挿入口が設けられる。
【００３５】
前記タオル体は、多角状からなり、前記ガセット部は、前記多角状の一辺又は角部に設けられる。
【００３６】
前記ガセット部は、前記挿入口を除く部分を返し縫いすることにより、前記タオル体に固定される。
【００３７】
前記タオル体の一面には、前記タオル体を縛るための案内線が設けられる。
【００３８】
前記ガセット部の両面には、接合手段として、ファスナー又はスナップボタンが設けられる。
【００３９】
前記結合部材は、ストラップ又はストリングを備える。
【発明の効果】
【００４０】
本発明によると、従来の技術とは異なり、パウチを設けていないので、その分だけサイズを小さくすることができるだけでなく、製造コストも低減することができるという効果が得られる。
【００４１】
また、本発明によると、携帯型端末機の表示画面、めがねなどのクリーナーとして使用することができるだけでなく、ユーザのハンカチとしても使用可能であるという効果も得られる。
【００４２】
更に、本発明によると、タオル体の全体が露出しているので、タオル体の全体を活用することができるという効果も得られる。
【００４３】
なお、本発明によると、タオル体の損傷を防止するだけでなく、携帯型端末機の支持台としても使用可能であるという効果も得られる。
【００４４】
また、本発明によると、ポケット部を網状に形成するので、使用後の濡れた状態のタオル体をポケット部に収納しても、容易に乾燥するという効果が得られる。
【図面の簡単な説明】
【００４５】
【図１】図１は、従来の携帯電話用の装身具兼用掃除用具を示す斜視図である。
【図２】図２は、従来のタオルの一部切断斜視図である。
【図３ａ】図３ａは、本発明の１実施例によるタオルの斜視図である。
【図３ｂ】図３ｂは、本発明の１実施例によるタオルの斜視図である。
【図４】図４は、タオル体が収納されて、携帯型端末機と結合した状態を示す図である。
【図５】図５は、本発明のポケット部の他の例を示す斜視図である。
【図６】図６は、本発明のポケット部の更に他の例を示す斜視図である。
【図７】図７は、図６による実施例の使用状態を示す図である。
【図８】図８は、図３におけるタオル体をポケット部に内蔵する過程を説明するための図である。
【図９】図９は、タオル体が携帯型端末機と結合した状態を示す図である。
【図１０】図１０は、本発明の他の実施例によるタオルの斜視図である。
【図１１ａ】図１１ａは、本発明の更に他の実施例によるタオルの斜視図である。
【図１１ｂ】図１１ｂは、本発明の更に他の実施例によるタオルの斜視図である。
【図１２】図１２は、縛る過程を案内するための案内線が設けられたタオルの斜視図である。
【発明を実施するための形態】
【００４６】
本発明の前記及びその他の目的と新規の特徴は、本明細書の技術及び添付図面により、更に明確になるだろう。
【００４７】
以下、本発明の構成を、図面により説明する。
【００４８】
図３は、本発明の１実施例によるタオルの斜視図であり、図４は、タオル体が収納されて、携帯型端末機と結合した状態を示す図である。
【００４９】
図３及び図４に示しているように、本発明の１実施例によるタオル１００は、例えば、携帯型端末機５、かばん、財布、キーホルダ、ダイアリ、又はハンドバッグなどに装飾用として結合されるタオルであって、タオル体１１０と、前記タオル体１１０を収容するポケット部１１１と、前記ポケット部１１１に結合した結合部材７とを含む。
【００５０】
前記タオル体１１０は、前記ポケット部１１１の収容空間に保管された状態で、選択的にユーザが外部に取り出して使用するものであって、異物の除去、汗や水気の吸収及び蒸発と、異物の除去が円滑な布地からなり、望ましくは、綿や機能性原緞であるマイクロファイバで製造されたものである。このようなタオル体１１０は、未使用の場合は、前記ポケット部１１１の内部に折り畳んで保管される。
【００５１】
前記結合部材７は、図３及び図４に示しているように、連結部材である連結バンド１２０に設けられた挿入体１３０、１３０’と、収容体１４０とからなり、図３аに示しているような ストラップ状、又は図３ｂに示しているようなストリング状からなる。図３ｂでのように、ストリング状からなる場合、連結部材は、連結リング１２０'に代わることができるが、これに限るものではなく、連結バンド１２０を使ってもよい。また、挿入体１３０’も、リング状に使用することができ、これに対して収容体１４０も、前記リング状に対応して結合する構造を採択することができる。 
【００５２】
しかし、本発明は、図４に示す構造に限るものではなく、図４に示している挿入体と収容体とは、互いに逆に構成してもよく、カラビナ(karabiner)、スナップファスナー(snap fastner)、通常のキーホルダ形状、各種のボタン又は紐などを用いることができる。また、前記結合部材７と連結バンド１２０との結合関係は、上述した特許文献などにより容易に実現することができるので、これに関する詳しい説明は、省略する。
【００５３】
前記ポケット部１１１は、内部に前記タオル体１１０を収容するために、袋状からなり、前記タオル体１１０の一部分、例えば、図３に示しているように、タオル体１１０の上部に略三角状に設けられる。
【００５４】
また、前記ポケット部１１１は、タオル体１１０を挿入するための入口を除き、返し縫い又は接着によってタオル体１１０と一体に形成され、図３аに示すように、連結バンド１２０と結合されるポケット部の角部(α)が、約５０〜７０゜、望ましくは、６０゜からなる。また、以下の説明において、‘ポケット部１１１の第１の部分'とは、図３に示している状態において、タオル体１１０と共に入口を備えて、収容空間を形成する部分をいい、‘ポケット部１１１の第２の部分'とは、図３に示している状態において、タオル体１１０と一体に形成された収容空間の外部を意味する。
【００５５】
上述したように、α部を約５０〜７０゜とすることは、タオル体１１０がポケット部１１１に内蔵された後、ポケット部１１１の入口が、別の遮断手段がなくても、タオル体１１０が離脱することを防止するためである。それで、タオル体１１０は、図３に示しているように、ポケット部１１１と類似する三角状からなる。しかし、本発明では、これに限るものではなく、ポケット部１１１だけが図３のように形成され、タオル体１１０の全部がポケット部１１１に内蔵される程度のサイズであると、残りの部分は、四角状又は円形状に形成してもよい。
【００５６】
上述したような前記ポケット部１１１は、前記タオル体１１０と同一材質で形成されるか、前記ポケット部１１１の第１の部分が、前記タオル体１１０とは異なる弾性を有する原緞で形成されるのが望ましい。すなわち、例えば、前記ポケット部１１１の第１の部分は、ゴムのように弾性を有する弾性保持纎維であるスパンデックス(spandex)を使用することが望ましい。また、このような弾性保持纎維は、ポケット部１１１の第１の部分及び第２の部分に設けるか、または、いずれか片面に設けてもよい。
【００５７】
また、ポケット部の第１の部分１１１'は、図３ｂに示しているように、収納されたタオル体の通風などのために、網状に形成してもよい。
【００５８】
上述したように、ポケット部１１１の第１の部分又は/及び第２の部分を、弾性保持纎維で形成することにより、ポケット部１１１に内蔵したタオル体１１０が圧迫されて、ポケット部１１１に内蔵したタオル体１１０の離脱を防止する。
【００５９】
次に、本発明の他の実施例を、図５乃至図７により説明する。
【００６０】
図５は、本発明のポケット部の他の例による斜視図であり、図６は、本発明のポケット部の更に他の例による斜視図であり、図７は、図６による実施例の使用状態を示す図である。
【００６１】
図５に示しているように、本発明の他の例では、ポケット部１１１の第１の部分に弾性を有するバンド部１１２を設けている。このようなバンド部１１２は、タオル体１１０とポケット部１１１とを同一材質で形成し、ポケット部１１１の第１の部分の下端部に返し縫いなどで設けるとよい。すなわち、本発明によるタオル１００の製造において、先ず、ポケット部１１１の第１の部分にバンド部１１２を返し縫いで設け、この前面の縁をタオル体１１０の上面(図５の例)に返し縫いすることで製造する場合、その製造工程が単純化となって、製造コストを節減することができる。
【００６２】
一方、本発明によると、図６に示しているように、前記ポケット部１１１の第１の部分又は第２の部分の外面に、携帯型端末機５の滑りを防止する滑り止め部材１１３を設ける。
【００６３】
このような滑り止め部材１１３を設けて、携帯型端末機５の裏面に粘着することにより、図７に示しているように、ポケット部１１１を携帯型端末機５の支持台として使うことができる。すなわち、最近、発達している電子技術により、携帯型端末機は、単なる通話手段ではなく、個人用コンピュータの機能も併せ持ち、例えば、携帯型端末機で動画を鑑賞する場合、ポケット部１１１を携帯型端末機５の支持台として有用に活用することができる。
【００６４】
前記滑り止め部材１１３は、例えば、携帯型端末機５の滑りを防止する程度の機能を有する柔軟なゴム材質を、ポケット部１１１の第１の部分又は第２の部分の外面の一部に略円状に取り付けることによって、容易に実現することができる。
【００６５】
次に、本発明の主要特徴であるポケット部１１１に、タオル体１１０を内蔵することについて、図８により説明する。
【００６６】
図８は、図３に示しているタオル体１１０を、ポケット部に内蔵するための過程を説明するための図である。
【００６７】
例えば、図４の状態で、携帯型端末機５の汚染を洗浄するために、ポケット部１１１からタオル体１１０を取り出す。本発明では、ポケット部１１１の入口側を遮断する何らの部材も用いていないので、タオル体を容易に取り出すことができる。
【００６８】
それで、図３のタオル体１１０のような状態で使用し、また、ポケット部１１１にタオル体１１０を内蔵する場合、例えば、図８に示しているように、タオル体１１０の上部、すなわち、ポケット部１１１の付近から巻き込むことにより、容易に内蔵される。 
【００６９】
また、タオル１００の繰返し使用により、タオル１００の汚染がひどくなった場合、収容体１４０から挿入体１３０を取り外して(図３の状態)、洗濯すればよい。
【００７０】
それで、本発明によるタオル１００は、比較的小さい使い捨ての掃除用具とは異なり、十分な大きさのタオルを使うので、携帯型端末機の汚染の洗浄を十分実現することができるだけでなく、洗濯によって繰返し使用が可能であるので、使い捨て掃除用具を使って発生する環境汚染を防止することができる。
【００７１】
また、本発明によるタオル１００では、結合部材を介してタオル体１２０を分離することにより、タオル体１１０に対する洗濯性を良好にすることは勿論、前記タオル体１１０が古くなった場合は、新しいタオル体１１０への交換が可能である。合わせて、前記タオル体１１０を分離することができるので、その使用範囲に制約を受けず、使い勝手が向上する。
【００７２】
また、本発明によると、ポケット部１１１の一部分を、広告などとして活用することができる。
【００７３】
次に、本発明の他の実施例を図９乃至図１２により説明する。
【００７４】
図９は、タオル体が縛って携帯型端末機と結合した状態を示す図であり、図１０及び図１１は、本発明の更に他の実施例によるタオルの斜視図である。
【００７５】
図９及び図１０に示しているように、本発明の他の実施例によるタオル１００は、例えば、ストラップを介して、携帯型端末機と結合するタオルであって、タオル体１１０と、前記タオル体１１０の一面に設けられ、前記タオル体を縛るガセット(gusset)部１１５と、前記ガセットブ１１５に対応し、前記タオル体１１０の他面に形成された連結バンド１２０と、前記連結バンド１２０に装着される結合部材とを含む。
【００７６】
また、前記ガセットブ部１１５には、前記結合部材の挿入体１３０が貫通する挿入口１１６が設けられる。このような挿入口１１６は、ガセットブ部１１５の端部に設けられ、挿入体１３０が貫通する程度のサイズであればよく、そのサイズは、特に限られない。
【００７７】
図１０では、前記ガセットブ部１１５が、タオル体１１０の一辺の中央部分に設けられた構造を示しているが、これに限るものではなく、図１１а及び１１ｂに示しているように、角部に設けても良い。また、この実施例は、上述した実施例とは異なり、タオル体１１０が、図１０及び図１１аに示しているように、四角状からなる。しかし、これに限るものではなく、三角、五角、さらには、図１１ｂに示しているように、六角など多角状からなってもよい。
【００７８】
また、前記ガセットブ部１１５は、前記挿入口を除く部分を返し縫いすることにより、前記タオル体に固定される。このような返し縫いは、前記挿入口１１６に対向する端のみを返し縫いして、挿入口１１６がタオル体１１０から十分離れた状態を保持するようにすることもできる。
【００７９】
一方、本発明によるタオル体１１０の一面には、ユーザがタオルの使用後、図９に示すような状態を維持するためにタオル体１１０を縛る場合、図１２に示すように、縛る過程を案内するための案内線１１７が設けられる。それで、ユーザは、図１２に示すような案内線１１７に沿って、タオル体１１０の左右側を先ず折りたたみ、ガセットブ部１１５が設けれていない方から巻き上げ、最終的に、挿入体１３０を挿入口１１６を介して巻かれたタオル体１１０を縛る。このような案内線１１７は、例えば、スクリーン印刷、又は熱処理で浮き彫りして形成することができる。
【００８０】
また、図９乃至図１２に示したタオル体１１０の使用及び洗浄は、前述した実施例と同一であるため、これに関する繰返し説明は、省略する。
【００８１】
一方、前記実施例では、ガセットブ部１１５に挿入口１１６を設けた実施例について説明したが、これに限るものではなく、挿入口１１６の代わりに、ガセット部１１５、又は連結部材の両面に接合手段としてファスナー、又はスナップボタンを設けて、タオル体１１０を縛っても良い。
【００８２】
以上、本発明者によりなされた発明を、前記実施例により具体的に説明したが、本発明は、前記実施例に限るものではなく、その要旨を逸脱しない範囲で様々に変更可能なことは言うまでもない。
【産業上の利用可能性】
【００８３】
本発明によるタオルは、汗のような水気や、携帯型端末機、めがね、光学機器などの表面異物を除去することに適用される。
【符号の説明】
【００８４】
１        タオル
１０      パウチ
１００    タオル
１１      遮蔽部
１１０    タオル体
１１１    ポケット部
１１１’  第１の部分
１１２    バンド部
１１３    滑り止め部材
１１５    ガセット部
１１６    挿入口
１２０    連結バンド
１２０’  連結リング
１３０    挿入体
１３０’  挿入体
１４０    収容体
１５      カバー部
１５ａ    取付パーツ
１５ｂ    取付パーツ
１６      装身具兼用掃除用具
１７      バックルバンド
１８      リング部
１９      収容体
２０      タオル体
２５      連結バンド
２９      挿入体
７        連結部材
【図１】
2015513304.tif 000003
【図２】
2015513304.tif 000004
【図３ａ】
2015513304.tif 000005
【図３ｂ】
2015513304.tif 000006
【図４】
2015513304.tif 000007
【図５】
2015513304.tif 000008
【図６】
2015513304.tif 000009
【図７】
2015513304.tif 000010
【図８】
2015513304.tif 000011
【図９】
2015513304.tif 000012
【図１０】
2015513304.tif 000013
【図１１ａ】
2015513304.tif 000014
【図１１ｂ】
2015513304.tif 000015
【図１２】
2015513304.tif 000016
【国際調査報告】
2015513304.tif 000017
2015513304.tif 000018
2015513304.tif 000019
2015513304.tif 000020